(57)【特許請求の範囲】
【請求項１】
横断面形状がＬ字型をなす長手形状の鋼本体(10)と、前記鋼本体(10)の背板(12)の一側部に形成された側板(14)と、前記側板(14)の端部に曲折して形成されたリップ(13)と、前記背板(12)の他側部に曲折して形成されると共に平板のみで形成されて水の溜りが形成されないように構成された曲折板(15)と、からなり、前記リップ(13)及び曲折板(15)の突出長さは、前記側板(14)の長手方向と直交する方向の側板幅(W1)よりも短く、
前記曲折板(15)が前記背板(12)の板方向(12a)に対して直角方向の直角板又は９０度以上の非直角方向に向けて延設された非直角板からなるように構成されたリップ溝形鋼(50)により横架台(2)又は縦架台(3)を形成した太陽光パネルモジュールの架台において、
前記横架台(2)は、前記縦架台(3)の上部に重なる状態で、かつ、前記曲折板(15)のみが前記縦架台(3)の上面(3a)側に位置して、前記縦架台(3)の長手方向(A)と直交して配設され、前記横架台(2)の上部には板状をなす太陽光パネルモジュール(1)が設けられ、前記縦架台(3)、横架台(2)及び太陽パネルモジュール(1)は、水平又は傾斜していることを特徴とする太陽光パネルモジュールの架台。
【請求項２】
前記曲折板(15)が前記背板(12)の板方向(12a)に対して直角方向の直角板(15)を有する前記リップ溝形鋼(50)からなる前記横架台(2)は、傾斜配設された前記縦架台(3)上に設けられていることを特徴とする請求項１記載の太陽光パネルモジュールの架台。
【請求項３】
前記曲折板(15)が前記背板(12)の板方向(12a)に対して９０度以上の非直角方向に向けて延設されている前記リップ溝形鋼(50)からなる前記横架台(2)は、前記曲折板(15)が下り傾斜となるように水平配置の前記縦架台(3)上にくさび型の傾斜部材(20)を介して設けられていることを特徴とする請求項１記載の太陽光パネルモジュールの架台。
【請求項４】
前記曲折板(15)が前記背板(12)の板方向(12a)に対して９０度以上の非直角方向に向けて延設されている前記縦架台(3)は、くさび型の傾斜部材(20)を介して基礎部材(4)上に設けられ、前記曲折板(15)が前記背板(12)の板方向(12a)に対して９０度以上の非直角方向に向けて延設されている請求項１記載の前記横架台(2)が前記傾斜部材(20)を介して前記縦架台(3)上に設けられていることを特徴とする請求項１記載の太陽光パネルモジュールの架台。
【請求項５】
前記曲折板(15)はリップよりなり、前記側板(14)と背板(12)の長手方向(A)と直交する各板幅(W1,W2)は同一で、前記リップ(13)、曲折板(15)、側板(14)及び背板(12)により両リップ山形鋼(40)をなすことを特徴とする請求項１ないし４の何れかに記載の太陽光パネルモジュールの架台。
【請求項６】
前記側板(14)の長手方向(A)と直交する方向の側板幅(W1)は、前記背板(12)の長手方向(A)と直交する方向の背板幅(W2)より小であることを特徴とする請求項１ないし４の何れかに記載の太陽光パネルモジュールの架台。
【発明の詳細な説明】
【技術分野】
【０００１】
本発明は、太陽光パネルモジュールの架台に関し、特に、横架台又は／及び縦架台として用い、横架台の上部に平板状の太陽光パネルモジュール等を載置した場合の架台の水はけを向上させるための新規な改良に関する。
【背景技術】
【０００２】
従来、用いられていたこの種の架台を形成するためのリップ溝形鋼としては、例えば、特許文献１及び２に開示された構成を挙げることができ、このリップ溝形鋼は、両方にリップを有する構成で、例えば、図１７〜図２０に示される太陽光パネルモジュール１が横架台２上に載置されており、この横架台２はこの横架台２に対して直交する方向に配設された縦架台３を介し、基礎部材４上の柱５上に設けられている。
従って、例えば、前記横架台２上に位置する太陽光パネルモジュール１は、太陽光の光線方向に対してできるだけ直交する面となるように設けられている。
【先行技術文献】
【特許文献】
【０００３】
【特許文献１】特許第４，５３７，６８２号公報
【特許文献２】特開平９−１５５４５３号公報
【発明の概要】
【発明が解決しようとする課題】
【０００４】
従来のリップ溝形鋼は、以上のように構成されていたため、次のような課題が存在していた。
すなわち、図１７及び図２０の構成から明らかであるように、太陽光パネルモジュールは傾斜しているため、横架台２も傾斜しているが、この横架台２自体は、図１８及び図１９の構成から特に明らかであるように、両リップ形であるため、耐荷重は強く、たわみも小であるが、傾斜配置の横架台２は、両リップ形であるが故に、図１７及び図２０で示されるように、下方へ向けて傾斜している場合に、外部から入って来た雨水６等が下方のリップ２ａの内側に溜まってしまい、錆等によってその強度が低下し、耐久性が問題となっていた。
【課題を解決するための手段】
【０００５】
本発明による太陽光パネルモジュールの架台は、横断面形状がＬ字型をなす長手形状の鋼本体と、前記鋼本体の背板の一側部に形成された側板と、前記側板の端部に曲折して形成されたリップと、前記背板の他側部に曲折して形成されると共に平板のみで形成されて水の溜りが形成されないように構成された曲折板と、からなり、前記リップ及び曲折板の突出長さは、前記側板の長手方向と直交する方向の側板幅よりも短く、前記曲折板が前記背板の板方向に対して直角方向の直角板又は９０度以上の非直角方向に向けて延設された非直角板からなるように構成されたリップ溝形鋼により横架台又は縦架台を形成した太陽光パネルモジュールの架台において、前記横架台は、前記縦架台の上部に重なる状態で、かつ、前記曲折板のみが前記縦架台の上面側に位置して、前記縦架台の長手方向と直交して配設され、前記横架台の上部には板状をなす太陽光パネルモジュールが設けられ、前記縦架台、横架台及び太陽パネルモジュールは、水平又は傾斜している構成であり、また、前記曲折板が前記背板の板方向に対して直角方向の直角板で形成された前記横架台は、傾斜配設された前記縦架台上に設けられている構成であり、また、前記曲折板が前記背板の板方向に対して９０度以上の非直角方向に向けて延設されている非直角板で形成された前記横架台は、前記曲折板が下り傾斜となるように水平配置の前記縦架台上にくさび型の傾斜部材を介して設けられている構成であり、また、前記曲折板が前記背板の板方向に対して９０度以上の非直角方向に向けて延設されている非直角板で形成された前記縦架台は、くさび型の傾斜部材を介して基礎部材上に設けられ、前記曲折板が前記背板の板方向に対して９０度以上の非直角方向に向けて延設されている非直角板で形成された前記横架台が前記傾斜部材を介して前記縦架台上に設けられている構成であり、また、前記曲折板はリップよりなり、前記側板と背板の長手方向と直交する各板幅は同一で、前記リップ、曲折板、側板及び背板により両リップ山形鋼をなす構成であり、また、前記側板の長手方向と直交する方向の側板幅は、前記背板の長手方向と直交する方向の背板幅より小である構成である。
【発明の効果】
【０００６】
本発明による太陽光パネルモジュールの架台は、以上のように構成されているため、次のような効果を得ることができる。
すなわち、横断面形状がＬ字型をなす長手形状の鋼本体と、前記鋼本体の背板の一側部に形成された側板と、前記側板の端部に曲折して形成されたリップと、前記背板の他側部に曲折して形成されると共に平板のみで形成されて水の溜りが形成されないように構成された曲折板と、からなり、前記リップ及び曲折板の突出長さは、前記側板の長手方向と直交する方向の側板幅よりも短く、前記曲折板が前記背板の板方向に対して直角方向の直角板又は９０度以上の非直角方向に向けて延設された非直角板からなるように構成されたリップ溝形鋼により横架台又は縦架台を形成することにより、横架台にかかる水は全て曲折板から下方に流れて溜らないため、錆の発生もなく、長い耐久性を得ることができる。
また、リップ溝形鋼からなる横架台は、縦架台の上部に重なる状態で、かつ、前記曲折板のみ前記縦架台の上面側に位置して、前記縦架台の長手方向と直交して配設され、前記横架台の上部には板状をなす太陽光パネルモジュールが設けられ、前記縦架台、横架台及び太陽パネルモジュールは、水平又は傾斜していることにより、太陽光パネルモジュールを長期間にわたって支持し続けることができる。
また、前記曲折板が前記背板の板方向に対して直角方向の前記直角板で形成された横架台は、傾斜配設された縦架台上に設けられていることにより、直角板からの排水を完全に行うことができる。
また、前記曲折板が前記背板の板方向に対して９０度以上の非直角方向に向けて延設されている非直角板で形成された前記横架台は、前記曲折板が下り傾斜となるように水平配置の前記縦架台上にくさび型の傾斜部材を介して設けられていることにより、曲折板が下方へ傾斜しているため、横架台及び縦架台共に完全な排水を行うことができる。
また、前記曲折板が前記背板の板方向に対して９０度以上の非直角方向に向けて延設されている非直角板で形成された前記縦架台は、くさび型の傾斜部材を介して基礎部材上に設けられ、前記曲折板が前記背板の板方向に対して９０度以上の非直角方向に向けて延設されている非直角板で形成された横架台が傾斜部材を介して前記縦架台上に設けられていることにより、横架台と縦架台を直角状に組合わせることができ、排水が完全な架台を得ることができる。
また、前記曲折板はリップよりなり、前記側板と背板の長手方向と直交する各板幅は同一で、前記リップ、曲折板、側板及び背板により両リップ山形鋼をなすことにより、排水の完全な架台を得ることができる。
また、前記側板の長手方向と直交する方向の側板幅は、前記背板の長手方向と直交する方向の背板幅より小であることにより、背板の高さを高くした排水の完全な横架台又は縦架台を得ることができる。
【図面の簡単な説明】
【０００７】
【図１】本発明による太陽光パネルモジュールの架台を用いた傾斜架台を示す構成図である。
【図２】図１のリップ溝形鋼のみを示す正面図である。
【図３】図２の他の形態を示す正面図である。
【図４】図２のリップ溝形鋼のみの加圧状態を示す斜視図である。
【図５】図１の他の水平架台の状態を示す正面図である。
【図６】図５の斜視図である。
【図７】図５の太陽光パネルモジュールを示す斜視図である。
【図８】図２の他の形態を示す正面図である。
【図９】図３の他の形態を示す正面図である。
【図１０】図５の他の形態を示す正面図である。
【図１１】図１０の右側面図である。
【図１２】図１０の要部を示す斜視図である。
【図１３】基礎部材に縦架台を設ける状態を示す分解斜視図である。
【図１４】基礎部材に横架台と縦架台を設ける状態を示す分解斜視図である。
【図１５】図１４の組立後を示す構成図である。
【図１６】図１５の左側面図である。
【図１７】従来の両リップ溝形鋼を用いた架台を示す正面図である。
【図１８】図１７の両リップ溝形鋼を示す拡大図である。
【図１９】図１７の両リップ溝形鋼の耐荷重状態を示す構成図である。
【図２０】図１７の架台を示す斜視図である。
【発明を実施するための形態】
【０００８】
本発明は、横架台又は縦架台として用い、横架台の上部に平板状の太陽光パネルモジュール等を載置した場合の各架台の水はけを向上させるようにした太陽光パネルモジュールの架台を提供することを目的とする。
【実施例】
【０００９】
以下、図面と共に本発明による太陽光パネルモジュールの架台の好適な実施の形態について説明する。
尚、従来例と同一又は同等部分には、同一符号を付し、の説明は省略する。
図１において符号４で示されるものは基礎部材であり、この基礎部材４上には複数の柱５を介して縦架台３が傾斜した状態で支持されている。
【００１０】
前記各縦架台３上には、この縦架台３の長手方向Ａと直交する方向にその長手方向Ｂを有する複数の横架台２が重なる状態で、かつ、後述の曲折板１５のみが前記縦架台３の上面３ａ側に位置して設けられている。
前記各横架台２上には、図７で示される板形状の太陽光パネルモジュール１が、接着剤、ボルト、ねじ等の取付部材を介して固定されている。
前記横架台２は、図２に拡大して示されているように、横架台２は全体形状がＬ字形をなす鋼本体１０よりなるリップ溝形鋼よりなり、この横架台２の背板１２の一側部には、リップ１３を有する側板１４が設けられ、その他側部には、平板状の平面部のみの直角板からなる曲折板１５が形成されている。尚、このリップ１３と曲折板１５とは同じ突出長さで、両方にリップが出ているような形状とされているが、曲折板１５の方をやや長くすることもできる。
【００１１】
前記直角板である曲折板１５は前記背板１２の板方向１２ａから直角方向に延出されて前記リップ１３を有していないため、平板のみで形成され、水の溜りが形成されないように構成されている。
尚、前記横架台２は、図４にも示されるように、矢印Ｃで示される力を加えて荷重試験を行った場合、点線と実線で示されるように、全体のたわみ状態が中程度であり、横架台２としては十分な耐荷重性を有している。
さらに、前記縦架台３は、図１においてはその長手方向Ａが傾斜方向であるため、従来構成と同じ両リップ溝形鋼でも適用可能であるが、前記横架台２と同じ構成の図２のリップ溝形鋼を用いることができる。
尚、前記側板１４の長手方向Ａと直交する方向の側板幅Ｗ１は、前記背板１２の長手方向Ａと直交する方向の背板幅Ｗ２より小であり、図３で示す図２の他の形態の場合、曲折板１５はリップよりなり、前記側板１４と背板１２の長手方向Ａと直交する方向の各板幅Ｗ１，Ｗ２は同一で、前記リップ１３、曲折板１５、側板１４及び背板１２によりリップ溝形鋼としての両リップ山形鋼４０を構成し、排水等の作用は前述の図２の形態と同じである。
【００１２】
次に、図５から図７で示される本発明の他の形態の場合、前記基礎部材４に設けられる縦架台３は水平状態に配設され、この縦架台３上にはこれと直交するように複数の横架台２が設けられ、この横架台２上には太陽光パネルモジュール１が載置して設けられている。
【００１３】
従って、各基礎部材４上の縦架台３、横架台２及び太陽光パネルモジュール１は、何れも水平状態に配設され、他の構造は図１から図４の構成と同一でるため、ここでは、同一符号を付し、その説明は省略する。
【００１４】
次に、図１０から図１２で示される本発明の他の形態の場合、前述の横架台２及び縦架台３を、図１から図７で示される形態とは異なる構成としている。
すなわち、図１０から図１２において、前記横架台２は、前述の図２及び図３で示されるリップ溝形鋼２,３の他の形態のリップ溝形鋼よりなり、図８及び図９で示されるように、背板１２及び側板１４とリップ１３は図２及び図３の構成と同一であるが、曲折板１５が背板１２の板方向１２ａに対して９０度以上の非直角方向に延設されていると共に下方に向けて下がるように傾斜した平面部のみの非直角板で構成されている。
【００１５】
従って、基礎部材４上に水平に設けられた長手形状の縦架台３上には、前記横架台２が水平に配設され、この横架台２上には板状をなす前記太陽光パネルモジュール１が水平状態で載置して配設されている。
前記縦架台３は前記横架台２と同一構造で構成されており、前記基礎部材４上に縦架台３を載置する場合は、前記曲折板１５である非直角板１５と基礎部材４の間にくさび状の傾斜部材２０を介装させ、前記縦架台３と横架台２の非直角板１５との間にも、前記傾斜部材２０を介装することにより、前記太陽光パネルモジュール１、横架台２及び縦架台３を基礎部材４に対して水平状態に配設することができる。
【００１６】
前述の各架台２，３の非直角板１５は下方を向いて傾斜して延設されているため、例えば、前述の従来構成の、図１８のように非直角板からなる曲折板１５に水が溜まることもなく完全に排水され、各架台２，３の耐久性が著しく向上するものである。
【００１７】
次に、前述の図１０から図１２において説明した各架台２，３が、曲折板１５が非直角板からなる構成における各架台２,３であるため、その組立構成は、図１３及び図１４に示される通りである。
すなわち、図１３においては、基礎部材４のアンカーボルト２１に傾斜部材２０を設け、このアンカーボルト２１上に縦架台３を載置して取付けている。
【００１８】
また、図１４は、前述の基礎部材４上に設けられた縦架台３のボルト２２上に傾斜部材２０を取り付け、このアンカーボルト２２上に横架台２の孔２ａを介して積層して取付けられている。
従って、前述の構成により、縦架台３と横架台２は互いに直交配置でかつ上下配置されている。
【００１９】
図１５及び図１６は、前述の図１４の各架台２，３の組立て後の構成を示すもので、図１５は横架台２が横向きの状態でナット２５で締められ、図１６は横架台２が縦の状態を示している。
尚、図１５の縦架台３には傾斜型ワッシャ３０とナット３１を用い、図１６では横架台２に対して傾斜型ワッシャ３０を用いている。
【産業上の利用可能性】
【００２０】
本発明による太陽光パネルモジュールの架台は、太陽光パネルモジュール用の支持台としてだけでなく、家屋等の骨材、足場等に適用可能である。
【符号の説明】
【００２１】
１    太陽光パネルモジュール
２    横架台（リップ溝形鋼）
３    縦架台（リップ溝形鋼）
４    基礎部材
５    柱
１０    鋼本体
１２    背板
１２ａ    板方向
１３    リップ
１４    側板
１５    曲折板（直角板又は非直角板）
２０    傾斜部材
２１    アンカーボルト
２２    ボルト
２５    ナット
３０    傾斜型ワッシャ
３１    ナット
４０    両リップ山形鋼（リップ溝形鋼）
【図１】
0005328056.tif 000002
【図２】
0005328056.tif 000003
【図３】
0005328056.tif 000004
【図４】
0005328056.tif 000005
【図５】
0005328056.tif 000006
【図６】
0005328056.tif 000007
【図７】
0005328056.tif 000008
【図８】
0005328056.tif 000009
【図９】
0005328056.tif 000010
【図１０】
0005328056.tif 000011
【図１１】
0005328056.tif 000012
【図１２】
0005328056.tif 000013
【図１３】
0005328056.tif 000014
【図１４】
0005328056.tif 000015
【図１５】
0005328056.tif 000016
【図１６】
0005328056.tif 000017
【図１７】
0005328056.tif 000018
【図１８】
0005328056.tif 000019
【図１９】
0005328056.tif 000020
【図２０】
0005328056.tif 000021